(57)【要約】  媒体を入れる容器（1）と、容器（1）内の媒体に対して加熱する熱源（7）と、片方向逆止弁（3）とを含める媒体が定方向へ流動の加熱装置（10）であって、容器（1）において、流入配管（12）と流出配管（11）が分けて設けられ、片方向逆止弁（3）が流入配管（12）に設けられる。循環暖房システムは主に前記媒体が定方向へ流動の加熱装置（10）及び放熱器（6）からなる。  【選択図】図2
2011502239.tif 000002
【特許請求の範囲】
【請求項１】
媒体を入れる容器（1）と、容器（1）内の媒体に対して加熱する熱源（7）と、片方向逆止弁（3）とを含める媒体が定方向へ流れる加熱装置（10）であって、媒体が前記容器（1）に流入するための流入連結配管（12）と、媒体が前記容器（1）から流出するための流出連結配管（11）とが分けて設けられ、前記片方向逆止弁（3）が前記流入連結配管（12）に設けられていることを特徴とする媒体が定方向へ流れる加熱装置（10）。  
【請求項２】
前記流入連結配管（12）の前記容器（1）への流入口と、前記容器（1）の前記流出連結配管（11）への流出口とが、水平方向に沿って前記容器（1）の上部の両側に設けられていることを特徴とする請求項1に記載の媒体が定方向へ流れる加熱装置（10）。
【請求項３】
前記容器（1）の流出連結配管（11）への流出口は、鉛直方向に沿って前記容器（1）の頂部に設け、前記流入連結配管（12）の前記容器（1）への流入口は、鉛直方向に沿って前記容器（1）の底部に設けられていることを特徴とする請求項1に記載の媒体が定方向へ流れる加熱装置（10）。
【請求項４】
前記容器（1）の流出連結配管（11）への流出口は、鉛直方向に沿って前記容器（1）の頂部に設け、前記流入連結配管（12）の前記容器（1）への流入口は、水平方向に沿って前記容器（1）の下側に設けられていることを特徴とする請求項1に記載の媒体が定方向へ流れる加熱装置（10）。
【請求項５】
前記容器（1）はパイプ状であり、前記熱源（7）は電気的加熱デバイスであることを特徴とする請求項1に記載の媒体が定方向へ流れる加熱装置（10）。  
【請求項６】
前記電気的加熱デバイスは、前記パイプ状の容器（1）を囲むように設けた電気抵抗加熱膜（7'）であることを特徴とする請求項5に記載の媒体が定方向へ流れる加熱装置（10）。  
【請求項７】
前記パイプ状の容器（1）は水平に配置され、前記流入連結配管（12）の前記パイプ状の容器（1）への流入口と、前記パイプ状の容器（1）の流出連結配管（11）への流出口とが、水平方向に沿って前記容器（1）の両側に設けられたことを特徴とする請求項5に記載の媒体が定方向へ流れる加熱装置（10）。
【請求項８】
前記パイプ状の容器（1）が鉛直に配置され、前記パイプ状の容器（1）の流出連結配管（11）への流出口は、前記パイプ状の容器（1）の上端に位置し、前記流入連結配管（12）の前記パイプ状の容器（1）への流入口が、前記容器（1）の下端に設けられたことを特徴とする請求項5に記載の媒体が定方向へ流れる加熱装置（10）。
【請求項９】
前記容器（1）は複数のパイプからなる並列式であり、前記熱源（7）は天然ガス、石炭、液化ガスの中の何れ一つであることを特徴とする請求項1に記載の媒体が定方向へ流れる加熱装置（10）。
【請求項１０】
前記媒体が水であることを特徴とする請求項1から9のいずれかに記載の媒体が定方向へ流れる加熱装置（10）。
【請求項１１】
前記流入連結配管（12）に位置する片方向逆止弁（3）が、該流入連結配管（12）の水平管段に設けられたことを特徴とする請求項1から9のいずれかに記載の媒体が定方向へ流れる加熱装置（10）。
【請求項１２】
請求項1から10のいずれかに記載の前記媒体が定方向へ流れる加熱装置（10）及び放熱器（6）を含める暖房システムであって、前記媒体が定方向へ流れる加熱装置（10）の流出連結配管（11）と該放熱器（6）の流入口とが接続され、該放熱器（6）の流出口と、前記媒体が定方向へ流れる加熱装置（10）に取付けた片方向逆止弁（3）の流入連結配管（12）とが接続されることを特徴とする暖房システム。
【請求項１３】
前記放熱器（6）の流入口と流出口が、該放熱器（6）の下方の両側に設けられることを特徴とする請求項11に記載の暖房システム。
【請求項１４】
前記媒体が水である場合、前記放熱器（6）に排風口（5）が装着され、前記媒体が定方向へ流れる加熱装置（10）の流入連結配管（12）に補水タンクが設けられることを特徴とする請求項11に記載の暖房システム。
【請求項１５】
前記暖房システムがグラウンドヒーティングシステムであり、前記放熱器が床板の下に埋められたグラウンドヒーティングの放熱管であることを特徴とする請求項11に記載の暖房システム。
【発明の詳細な説明】
【技術分野】
【０００１】
本発明は、媒体を入れる容器と、容器内の媒体に対して加熱する熱源と、及び片方向逆止弁とを含める媒体が定方向へ流れる加熱装置に関する。
本発明は、さらに、主に前記媒体が定方向へ流れる加熱装置と放熱器からなる循環暖房システムに関する。
【背景技術】
【０００２】
北方の地域において、冬季になると、通常集中的暖房システムと分散的暖房システムの二つが採用される。集中的暖房システムの場合、住宅メーカによって、個別に暖房用のボイラを設け、且つ、建築の施工済み前に配管工程によって、それぞれの家屋を連結する必要がある。ただし、現在の集中的暖房システムに直列形態が採用され、使用者が自分の需要によって、暖房量をコントロールできないなどのいろいろな不便が存在する。さらに、家屋同士の間隔が長い領域には、長い配管でそれらを直列に連結させる必要があり、配管のコストが高騰し、経済性が低下してしまう。
このために、ある家屋には既に分散的暖房システムが装備し始められた。早期の分散的暖房システムは、伝統的な住宅において使われ、「早期の暖房」とも言われたものである。このような暖房システムは、炉体と水循環暖房装置により構成された。この水循環暖房装置は、配管によって放熱器、補充水タンク、及び排気管を連結して構成され、炉体では、内部で石炭を燃焼させて水循環装置内の水を加熱し、お湯と冷水との密度差により、水循環暖房装置の全体において水を循環させて室内を加熱する。また、近来、ある住宅には、天然ガスによる分散的暖房システムが装備され、天然ガスを利用して水循環暖房装置内の水を加熱するとともに、ポンプによって水を循環させる。
ただし、上述した分散的暖房システムにおいて、水循環暖房装置内には、水がずっと循環状態にあり、水は炉体を流れる間だけ熱源によって加熱される問題が存在し、そのため、水温の上昇が遅くなるとともに、水と熱源との熱交換率が低くなる。また、「早期の暖房」である分散的暖房システムにおいて、お湯と冷水との密度差だけによって水を循環させるので、水循環の圧力が低くなり、配管の抵抗が大きい家屋の暖房には適用できなくなり、グラウンドヒーティングシステムにはもっと適用できなくなった。ポンプを利用する暖房システムにおいては新しい部品を追加するため、システム全体のコストが高騰し、故障率も増えた。
【０００３】
また、材料技術の更新と、省エネルギーに対する要求が高くなるにつれ、グラウンドヒーティングシステムが普及されていく。グラウンドヒーティングシステムにおいて、放熱管が床面の下に配置されるため、伝統的放熱器より低い位置から家屋に対して加熱でき、これによってよりよい加熱効果が得られる。関連資料によれば、グラウンドヒーティングシステムの暖房効率は普通の暖房システムより10％高い。日本では、グラウンドヒーティングシステムが暖房システムの85％以上を占め、韓国でも95％以上に達し、ヨーロッパでは50％を超えている。これから分かるように、現在、グラウンドヒーティングシステムが伝統的放熱器を替える傾向がある。
ただし、上述した早期の暖房システムにおいて、装着技術の標準に応じて、暖房システムの放熱器を、その中心が加熱される媒体を収納する容器の中心より少なくとも50cm程度高くなるように設ければ、水の自然的循環がよく実現できる。よって、上述した早期の暖房の加熱装置は、グラウンドヒーティングシステムの要求を満足できない。従って、グラウンドヒーティングシステムの放熱管内で水を循環させることができるようにするため、ポップを追加しなければならない。これによって、部品の数が増え、システム全体のコストが高くなる。
該出願者の特許文献１の明細書には、上述した問題に鑑みて改良した熱圧力水循環暖房装置が開示された。該熱圧力水循環暖房装置は、主に、熱源によりその中の水に対して加熱する耐圧容器と、放熱器とにより構成された循環暖房装置に、一つの三方構造、及び一つの返水配管に位置する片方向逆止弁が設けられる。耐圧容器に対して加熱し始める時、片方向逆止弁を閉じ、水が加熱されて気化し、放熱器へ流れるが、該高温気化水が、三方構造と片方向逆止弁とを連結する配管を介して流れる時、冷水と激烈な瞬間的熱交換が行われ、気体体積が収縮して負圧が形成され、片方向逆止弁が開通され、冷水が耐圧容器へ流れ込み、熱圧力水循環が形成される。耐圧容器に所定量の冷水が流れ込んだ後、耐圧容器の水温が降下されるにつれ、片方向逆止弁の両側において圧力がバランスを取り、再度、片方向逆止弁が閉じられ、新しい循環が始まる。このような構造を採用すれば、熱交換率が向上され、省エネルギーができ、コストも低減できるが、水が間歇的循環するため、配管全体における圧力を大きく変化してしまい、大きなノイズを生じさせる。
【先行技術文献】
【特許文献】
【０００４】
【特許文献１】中国実用新案200720000881.2
【発明の概要】
【発明が解決しようとする課題】
【０００５】
本発明が解決しようとする問題は、熱交換率が高い、コストが低い、且つ、ノイズが小さい媒体が定方向へ流れる加熱装置を提供することにある。
本発明が解決しようとする他の問題は、熱交換率が高い、コストが低い、且つ、ノイズが小さい循環暖房システムを提供することにある。
上記問題を解決するために、本発明に係る媒体が定方向へ流れる加熱装置は、媒体を入れる容器と、容器内の媒体に対して加熱する熱源と、片方向逆止弁とを含め、媒体が該容器へ流入する流入連接配管と媒体が該容器から流出する流出連接配管が分けて設けられ、片方向逆止弁が前記流入連接配管に設けられる。
本発明によれば、媒体が該容器へ流入する流入連接配管と、媒体が該容器から流出する流出連接配管が分けて設けられるため、該容器に二つのポートが開口され、その中で一つは流出口であり、他の一つは流入口である。よって、流入口と流出口とは、圧力が互いに干渉することなく、流入連接配管に設けられた片方向逆止弁が速やかにオン・オフするができる。即ち、片方向逆止弁のオン・オフ頻度が増える。このようにして、装置全体の圧力変動と激変を減らし、ノイズの低減が実現される。
【０００６】
本発明に係る媒体が定方向へ流れる加熱装置に対してさらに改良したものとして、流入連接配管の該容器への流入口、及び該容器の流出連接配管への流出口を、水平方向に沿って該容器の上部の両側に設け、又は、該容器の流出連接配管への流出口を鉛直方向に沿って該容器の頂部に設け、流入連接配管の該容器への流入口を鉛直方向に沿って該容器の底部に設け、又は、該容器の流出連接配管への流出口を鉛直方向に沿って該容器の頂部に設け、流入連接配管の該容器への流入口を水平方向に沿って該容器の底部の一側に設ける。
本発明に係る媒体が定方向へ流れる加熱装置の一つの好ましい実施形態として、容器にパイプ状のものが採用される。熱源には電気加熱デバイスが採用され、特に、該パイプ状の容器を囲むように設けた電気抵抗加熱膜が好ましい。パイプ状の容器の容積が小さいため、その中の媒体の温度を速やかに所定の温度まで加熱でき、熱交換率が向上される。特に、この場合、パイプ状の容器が水平に配置されるとともに、流入連接配管の該パイプ状の容器への流入口と、該パイプ状の容器の流出連接配管への流出口とを、水平方向に沿って該容器の両側に設けた場合、水循環グラウンドヒーティングシステムに応用するのに有利である。
また、上記の技術問題を解決するため、本発明に係る循環暖房システムは、前述した媒体が定方向へ流れる加熱装置及び放熱器を含め、媒体が定方向へ流れる加熱装置の流出配管と放熱器の流入口とが接続され、放熱器の流出口と、媒体が定方向へ流れる加熱装置に取付けた片方向逆止弁の流入配管とが接続されている。本発明に係る循環暖房システムに前述した媒体が定方向へ流れる加熱装置が採用されるため、その循環暖房システムも前述したような媒体が定方向へ流れる加熱装置によって得られる技術的効果を備える、即ち、システム全体の圧力の変動と激変を減らして、ノイズが低減され、熱交換率が向上される。
本発明に係る循環暖房システムの一つの好ましい改良したものとして、放熱器の流入口と流出口が該放熱器の下方の両側に設けられる。このような構成を採用することによって、放熱器の流入口から流れ込んだお湯が放熱器内で流れ上がり、放熱器を素早く一様に加熱できる。同時に、放熱器の流入口を下側に設けたため、放熱器内に一部の空気が存在しても、空気が水の上方へ浮かべ、水の循環に差し支えることがない。
本発明に係る循環暖房システムの一つの好ましい改良したものとして、本発明の暖房システムとしてグラウンドヒーティングシステムを採用し、前記放熱器として床板の下に埋められたグラウンドヒーティング放熱管が採用され、前記媒体が定方向へ流れる加熱装置の流出配管と、グラウンドヒーティング放熱管の流入口とが接続され、グラウンドヒーティング放熱管の流出口と、媒体が定方向へ流れる加熱装置に取付けた片方向逆止弁の流入配管とが接続される。上述した利点の以外、片方向逆止弁により、本発明に係る媒体が定方向へ流れる加熱装置は装着高度に制限がないため、床板の上方の何れの適当位置に取付けることができるとともに、ポンプを追加する必要がなくなり、グラウンドヒーティングシステムの装着の適応性が増え、システム全体としてのコストが低減される。
【発明を実施するための形態】
【０００７】
以下、本発明に係る媒体が定方向へ流れる加熱装置及び循環暖房システムについて、図面を参照しながら詳しく説明する。すべての図面において、同一の要素に同一の符号を付与する。
図1は、前述した背景技術の部分で言及した、本発明の従来技術の熱圧力水循環暖房装置に関する概略図である。該暖房装置には、耐圧容器1、三方構造2、片方向逆止弁3、補水タンク4、少なくとも一つの排気管5、少なくとも一つの放熱器6、及びそれらを接続する配管が含められる。熱源は直接に耐圧容器1に対して加熱し、耐圧容器1内の水が所定の温度に加熱された場合、水の体積が膨張され、且つ、水が蒸発される場合、水（水蒸気）の体積が更に増大される。このような体積の増大は暖房装置全体内の水の流動を促し、耐圧容器1から排出されたお湯（水蒸気）が配管内の冷水と合流した場合、お湯の温度が速やかに降下して体積が縮小し、配管内に負圧が形成される。この負圧によって片方向逆止弁3が開通され、冷水が片方向逆止弁3から耐圧容器1へ向かって流れ、流れ込んだ冷水はさらに耐圧容器1内のお湯（水蒸気）と混ぜ、更に負圧を生じる。所定量の冷水が流れ込んだ後、片方向逆止弁3の両側の圧力がバランス状態になり、片方向逆止弁3が閉じられ、暖房システム全体において水の流動が停止される。この場合、耐圧容器1内の水が静止状態で熱源により加熱されるが、水温の上昇につれて、新しい循環が始まる。水は静止状態で熱源より加熱されるため、水を高温へ速やかに上昇させることができるとともに、水と熱源との間の熱交換率が向上される。従って、従来の「早期の暖房」に比べ、エネルギーが節約される。また、ポンプを使わうことなく、水が熱により膨張され、蒸発されることによって生じた圧力により水を循環させるため、部品の数が低減され、装置全体のコストが低減された。
【０００８】
当該出願者は、上記した従来技術に存在する問題に対して改良を行った。図2は本発明に係る媒体が定方向へ流れる加熱装置の第1の実施形態の構成に関する概略図である。本発明の第1の実施形態による媒体が定方向へ流れる加熱装置には、媒体を入れる容器1が含められる。該容器1として密閉した圧力容器であれば何でもよい。該容器1内の媒体に対して加熱するように、その下部に熱源2が設けられる。本明細書においては媒体として水だけを説明するが、これに限られるものではない。媒体として、例えば、シリコン油などのいろいろな媒体が挙げられる。該容器1の上部の左右両側に、出口1A と入口1B を備え、該出口1Aと入口1Bのそれぞれに流出配管11と流入配管12が接続される。該流出配管11と流入配管12は水平に配置され、片方向逆止弁3は、外方から入口1Bへ流れ込む方向、即ち、図の矢印が示した方向へ開通されるように流入配管12に設けられる。即ち、容器1内の水が片方向逆止弁3を介して外方へ流れるのを防止する。容器1において加熱された水の体積が膨張するとともに、片方向逆止弁3の機能により、出口1Aのみを介して噴出して流出配管11へ流れ込む。容器1から流出配管11を介して流出するお湯（水蒸気）は冷水に合流すると、温度が降下して体積が縮小し、負圧が形成される。該負圧により片方向逆止弁3の両側に圧力差が形成され、片方向逆止弁3が開通される。さらに、外側から流入配管12と入口1Bを介して容器1へ補水を行い、媒体が定方向へ流れる加熱装置全体の加熱過程が実現される。上記に示したように、本発明の媒体が定方向へ流れる加熱装置において、容器1から流れて行くお湯と、外方から容器1へ補充される冷水とが、それぞれ二つに分けて設けられた配管とポートを介して流れることができるように、容器1に二つのポートを設け、即ち、出口1Aと入口1Bを設けるとともに、出口1Aと入口1Bのそれぞれに接続される流出配管11と流入配管12とがそれぞれに分けて設けられる。これによって、上述した従来技術の熱圧力水循環暖房システムのように、お湯と冷水が一つのポートを介して流れることによりシステムにおいて生じた圧力の変動と激変を回避でき、作動際のノイズを低減できる。
【０００９】
図3は、本発明の第2の実施形態による媒体が定方向へ流れる加熱装置の構成に関する概略図である。図3に示したように、該第2の実施形態の媒体が定方向へ流れる加熱装置と、第1の実施形態の媒体が定方向へ流れる加熱装置との相違点は、出口1Aと入口1Bが鉛直方向に沿って、容器の両側に設けられるとともに、流出配管11と流入配管12のそれぞれは出口1Aと入口1Bに接続され、その中で、片方向逆止弁3が流入配管12の水平段に配置されることにある。第2の実施形態によれば、容器1内の水が加熱され、体積が膨張して生じる圧力により、水の循環を促すことができるとともに、お湯と冷水との密度差によって生じる動力により循環を促進こともできる。
【００１０】
図4は、本発明の第3の実施形態による媒体が定方向へ流れる加熱装置の構成に関する概略図である。該第3の実施形態の媒体が定方向へ流れる加熱装置と、第2の実施形態の媒体が定方向へ流れる加熱装置との相違点は、容器1の入口1Bは水平に該容器の下側に設けるとともに、流入配管12は水平へ延して入口1Bに接続され、片方向逆止弁3が該流入配管12に配置されることにある。このようにして、冷水が更に容器1へ容易に戻る。
【００１１】
図5に、本発明の第4の実施形態による媒体が定方向へ流れる加熱装置を示した。該媒体が定方向へ流れる加熱装置において、容器1はパイプ状であり、この容器1は導熱性に優れる材料、例えば金属からなる。該容器1の外側に加熱器2が設けられ、該加熱器2は電気的加熱器であればよく、該容器1を囲むように設けられた電気抵抗加熱膜のものが好ましい。容器1の両側のそれぞれに、流出配管11と流入配管12が接続され、流入配管12に一つの片方向逆止弁3が接続される。該片方向逆止弁3は図5の矢印に示した方向を開通す方向とする。図5に示したように、該容器1は水平に配置される。また、本実施形態はこれに限らず、各種の配向に設けられる。例えば、鉛直方向に沿って設けられる。このように、流出配管11は容器1の鉛直方向の上端に設けられ、流入配管12は容器1の鉛直方向の下端に設けられる。容器1をパイプ状にすることによって、媒体が定方向へ流れる加熱装置全体としてのサイズを縮小できる。よって、このような媒体が定方向へ流れる加熱装置を利用して、サイズが更に小さい独立的暖房システムが構成できる。
また、本発明は容器1として単独の一つのパイプに限らず、複数のパイプを並列して構成した形態をも含め、且つ、電気的加熱装置以外に、天然ガスを利用して熱源とすることができる。又、例えば、石炭や液ガスなどのような他の燃料としてもよい。
以下、暖房システムを結合して、該媒体が定方向へ流れる加熱装置の作動過程に関して説明する。ただし、本発明の媒体が定方向へ流れる加熱装置は、暖房システムだけに適用できるものではなく、例えば、お湯を提供する熱水器など加熱する必要がある何れの用途に適用できることを了解しておけばよい。
【００１２】
図6は、上記の媒体が定方向へ流れる加熱装置を採用した暖房システムを示した概略図である。同図において、媒体が定方向へ流れる加熱装置は、上述した何れの媒体が定方向へ流れる加熱装置であればよく、ある一つの実施形態に限られるものではない。
図6に示したように、容器1の流出配管11は放熱器6の入口に接続され、放熱器6の出口は流入配管12の片方向逆止弁3の入口に接続されて、暖房システムの全体を構成する。暖房システムの全体が作動前、システム全体に水を充満させて、システム中の空気を排出させる。システムが作動過程で水が欠けることを防止するため、通常、配管例えば流入配管12において、片方向逆止弁3の外側に補水タンク（膨張タンク）4が設けられる。
作動開始際、システム全体の水は冷たい状態にあり、熱源をオンさせて容器1を加熱し、容器1内の水温が上昇することにつれて、水の体積が膨張される。これによって、システム中の水が循環し始まる。容器1の流入配管12に片方向逆止弁3が設けられるため、お湯は容器1の出口1A及び流出配管11を介して流出されることしかない。さらに、水温の上昇につれて、水の一部が蒸発されて水蒸気になり、システム内の圧力がますます大きくなり、システム中の水をさらに流動させる。流動するお湯と冷水が混合してお湯の温度が降下され、体積が低減される。このような体積の低減はシステムにおいて負圧を形成し、片方向逆止弁3を開通させ、冷水が流入配管12を介して、入口1Bから容器1に流れ込む。冷水が容器1へ流れ込むにつれて、容器1中の水温がますます降下される。よって、システム中の圧力がバランス状態になり、片方向逆止弁3が閉じられ、容器1中の水が再び静止加熱状態にある。さらに、水温が上昇につれて、次の循環が始まる。
容器1において流出配管11と流入配管12が分けて設けられるため、図1に示した従来技術の暖房装置に比べ、容器から流出されるお湯と容器へ流入される冷水との干渉がなくなり、システムが更に安定的に作動し、圧力の変動と激変が更に低減され、ノイズが低減される。
【００１３】
図7に、図6に示した循環暖房システムを改良した形態を示している。図6に示して暖房システムにおいて、伝統的放熱器の連結方法として、放熱器の上部の一側に入口が設けられ、下部の一側に出口が設けられる。即ち、これを「上部から流入し、下部から流出する」方式と称する。このような連結形態には下記のような問題が存在する。お湯の密度が小さいため、お湯が放熱器の上部に溜まり、よって、この放熱器の温度の上昇が一様にならない。通常、上部が熱くなるが、下部は冷たくなる。また、放熱器内の空気が排気切れなくなると、空気が水の循環を阻害し、放熱器が熱くならない。伝統的放熱器の連結形態と異なって、図7に示した暖房システムにおいて、採用された放熱器3と媒体が定方向へ流れる加熱装置との連結形態は、下部から流入して下部から流出する。即ち、放熱器の入口と出口が下部の両側に設けられる。お湯の密度が小さいため、放熱器3の入口から流れ込んだお湯が、放熱器において流れ上がり、これによって放熱器が一様に加熱されながら、放熱器の入口が下部の両側に設けられるため、放熱器の中に一部の空気が存在しても、空気が水の上面に浮かべ、水の循環を阻害しない。
【００１４】
図8は、本発明による媒体が定方向へ流れる加熱装置をグラウンドヒーティングシステムに応用した状態を示した概略図である。図8に示したように、グラウンドヒーティングシステムのグラウンドヒーティング放熱管8が床板の下に埋められ、本発明による媒体が定方向へ流れる加熱装置10は、床板上の何れの適当位置に設けられる。片方向逆止弁3を含めるため、装着高度に制限がなく、装着の適応性が更に向上されるとともに、伝統的グラウンドヒーティングシステムのポンプを略することができ、よって、システム全体のコストが低減される。
図面を参照しながら本発明の好ましい実施形態に関して説明したが、当業者であれば、本発明は上記の実施形態に限らず、ある実施形態の特徴と他の実施形態の特徴とを組合せて、新しい実施形態が構成できることを了解でき、本発明は特許請求の範囲及びその等価物で限定した範囲内に落ちる、すべての修正及び変形を含めることに意図がある。
【図面の簡単な説明】
【００１５】
【図１】図1は、従来の技術における熱圧力水循環暖房システムの概略図である。
【図２】図2は、本発明に係る媒体が定方向へ流れる加熱装置の第1の実施形態の構成の概略図である。
【図３】図3は、本発明に係る媒体が定方向へ流れる加熱装置の第2の実施形態の構成の概略図である。
【図４】図4は、本発明に係る媒体が定方向へ流れる加熱装置の第3の実施形態の構成の概略図である。
【図５】図5は、本発明に係る媒体が定方向へ流れる加熱装置の第4の実施形態の構成の概略図である。
【図６】図6は、本発明に係る媒体が定方向へ流れる加熱装置を採用した循環暖房システムを示した図である。
【図７】図7は、図6に示した循環暖房システムを改良した構成を示した図である。
【図８】図8は、本発明に係る媒体が定方向へ流れる加熱装置をグラウンドヒーティングに応用した状態の概略図。
【図１】
2011502239.tif 000003
【図２】
2011502239.tif 000004
【図３】
2011502239.tif 000005
【図４】
2011502239.tif 000006
【図５】
2011502239.tif 000007
【図６】
2011502239.tif 000008
【図７】
2011502239.tif 000009
【図８】
2011502239.tif 000010
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
媒体を入れる容器（1）と、容器（1）内の媒体に対して加熱する熱源（7）と、片方向逆止弁（3）とを含める媒体が定方向へ流れる加熱装置（10）であって、媒体が前記容器（1）に流入するための流入連結配管（12）と、媒体が前記容器（1）から流出するための流出連結配管（11）とが分けて設けられ、前記片方向逆止弁（3）が前記流入連結配管（12）に設けられていることを特徴とする媒体が定方向へ流れる加熱装置（10）。  
【請求項２】
前記流入連結配管（12）の前記容器（1）への流入口と、前記容器（1）の前記流出連結配管（11）への流出口とが、水平方向に沿って前記容器（1）の上部の両側に設けられていることを特徴とする請求項1に記載の媒体が定方向へ流れる加熱装置（10）。
【請求項３】
前記容器（1）の流出連結配管（11）への流出口は、鉛直方向に沿って前記容器（1）の頂部に設け、前記流入連結配管（12）の前記容器（1）への流入口は、鉛直方向に沿って前記容器（1）の底部に設けられていることを特徴とする請求項1に記載の媒体が定方向へ流れる加熱装置（10）。
【請求項４】
前記容器（1）の流出連結配管（11）への流出口は、鉛直方向に沿って前記容器（1）の頂部に設け、前記流入連結配管（12）の前記容器（1）への流入口は、水平方向に沿って前記容器（1）の下側に設けられていることを特徴とする請求項1に記載の媒体が定方向へ流れる加熱装置（10）。
【請求項５】
前記容器（1）はパイプ状であり、前記熱源（7）は電気的加熱デバイスであることを特徴とする請求項1に記載の媒体が定方向へ流れる加熱装置（10）。  
【請求項６】
前記電気的加熱デバイスは、前記パイプ状の容器（1）を囲むように設けた電気抵抗加熱膜（7'）であることを特徴とする請求項5に記載の媒体が定方向へ流れる加熱装置（10）。  
【請求項７】
前記パイプ状の容器（1）は水平に配置され、前記流入連結配管（12）の前記パイプ状の容器（1）への流入口と、前記パイプ状の容器（1）の流出連結配管（11）への流出口とが、水平方向に沿って前記容器（1）の両側に設けられたことを特徴とする請求項5に記載の媒体が定方向へ流れる加熱装置（10）。
【請求項８】
前記パイプ状の容器（1）が鉛直に配置され、前記パイプ状の容器（1）の流出連結配管（11）への流出口は、前記パイプ状の容器（1）の上端に位置し、前記流入連結配管（12）の前記パイプ状の容器（1）への流入口が、前記容器（1）の下端に設けられたことを特徴とする請求項5に記載の媒体が定方向へ流れる加熱装置（10）。
【請求項９】
前記容器（1）は複数のパイプからなる並列式であり、前記熱源（7）は天然ガス、石炭、液化ガスの中の何れ一つであることを特徴とする請求項1に記載の媒体が定方向へ流れる加熱装置（10）。
【請求項１０】
前記媒体が水であることを特徴とする請求項1から9のいずれかに記載の媒体が定方向へ流れる加熱装置（10）。
【請求項１１】
前記流入連結配管（12）に位置する片方向逆止弁（3）が、該流入連結配管（12）の水平管段に設けられたことを特徴とする請求項1から9のいずれかに記載の媒体が定方向へ流れる加熱装置（10）。
【請求項１２】
請求項1から11のいずれかに記載の前記媒体が定方向へ流れる加熱装置（10）及び放熱器（6）を含める暖房システムであって、前記媒体が定方向へ流れる加熱装置（10）の流出連結配管（11）と該放熱器（6）の流入口とが接続され、該放熱器（6）の流出口と、前記媒体が定方向へ流れる加熱装置（10）に取付けた片方向逆止弁（3）の流入連結配管（12）とが接続されることを特徴とする暖房システム。
【請求項１３】
前記放熱器（6）の流入口と流出口が、該放熱器（6）の下方の両側に設けられることを特徴とする請求項12に記載の暖房システム。
【請求項１４】
前記媒体が水である場合、前記放熱器（6）に排風口（5）が装着され、前記媒体が定方向へ流れる加熱装置（10）の流入連結配管（12）に補水タンクが設けられることを特徴とする請求項12に記載の暖房システム。
【請求項１５】
前記暖房システムがグラウンドヒーティングシステムであり、前記放熱器が床板の下に埋められたグラウンドヒーティングの放熱管であることを特徴とする請求項12に記載の暖房システム。
【国際調査報告】
2011502239.tif 000011
2011502239.tif 000012
2011502239.tif 000013
2011502239.tif 000014
2011502239.tif 000015
2011502239.tif 000016
2011502239.tif 000017
2011502239.tif 000018